(57)【要約】  【課題】付箋を見出しとして利用可能であり、付箋の着脱作業や交換作業を容易に行い得るファイルを提供する。  【解決手段】ファイルを、第一のシートと、この第一のシートの開放端部領域に配された第二のシートとを備えてなり、前記第一のシートと前記第二のシートとの間に付箋を貼り付け可能な付箋貼付部を設けてなり、前記第一、第二のシートの少なくとも一方が透光性を有するものとした。前記付箋貼付部が、前記第一、第二のシートにおける開放端側に開口したものである。このようなものであれば、付箋を見出しとして利用可能であり、付箋の着脱作業や交換作業を容易に行い得るファイルを提供することができるものとなる。【選択図】図１
2018161796.tif 000002
【特許請求の範囲】
【請求項１】
第一のシートと、この第一のシートの開放端部領域に配された第二のシートとを備えてなり、前記第一、第二のシートの少なくとも一方が透光性を有するものであり、
前記第一のシートと前記第二のシートとの間に付箋を貼り付け可能な付箋貼付部を設けてなり、この付箋貼付部が、前記第一のシートにおける開放端側に開放しているものであるファイル。
【請求項２】
前記付箋貼付部が、前記第一のシートと前記第二のシートとを接合する溶着部よりも開放端側に前記付箋を貼り付け得る付箋貼付領域を形成したものであり、
前記付箋貼付領域に貼り付けられた付箋が、前記第一のシートと前記第二のシートとの間に挟まれ得るように構成されている請求項１記載のファイル。
【請求項３】
前記第一のシートの開放端部領域が、当該第一のシートの開放端とこの開放端に略平行な仮想線との間に位置するものであり、前記溶着部が前記仮想線上に設定されている請求項２記載のファイル。
【請求項４】
前記第一のシートが表紙であり、前記第二のシートが前記表紙の内面又は外面に添設されたものである請求項１、２又は３記載のファイル。
【請求項５】
前記付箋貼付部に、付箋を貼るための目印線を設けている請求項１、２、３又は４記載のファイル。
【請求項６】
表紙の開放端外縁に、付箋を貼り付けるための付箋貼付部を設けてなるファイルであって、
前記付箋貼付部が、第一のシートと、この第一のシートに重なり合う第二のシートとを備えたものであり、これら第一、第二のシートの基端が前記表紙の開放端外縁に止着されており、
前記第一、第二のシートの内面に付箋を貼り付け得る付箋貼付領域を備えているファイル。
【発明の詳細な説明】
【技術分野】
【０００１】
本発明は、オフィス等において好適に使用されるファイルに関する。
【背景技術】
【０００２】
従来から、見出し片を取り付け可能に構成したファイルが存在する（例えば、特許文献１を参照）。特許文献１に示すものは、見出し片が、二つ折りにした紙製の帯状の形態をなしている。見出し片は、ファイル内すなわち表板及び裏板からなる本体と見出しカバーとの間の隙間に挿入され、ファイル内に保持されるものとなっている。
【０００３】
従来は、見出し片が、ファイルを構成する本体の背表紙部分と見出しカバーとの間に保持され得る形態をなしていた。このため、当該ファイルから見出し片を取り除いたり交換したりする作業が煩わしいものとなっており、見出し片に必要な情報を表示させる意欲を低下させる一因にもなっていた。
【先行技術文献】
【特許文献】
【０００４】
【特許文献１】実開平３−１０８４７７号公報
【発明の概要】
【発明が解決しようとする課題】
【０００５】
本発明は、以上のような事情に着目してなされたもので、付箋を見出しとして利用可能であり、付箋の着脱作業や交換作業を容易に行い得るファイルを提供することにある。
【課題を解決するための手段】
【０００６】
すなわち、本発明は次の構成をなしている。
【０００７】
請求項１に記載の発明は、第一のシートと、この第一のシートの開放端部領域に配された第二のシートとを備えてなり、前記第一、第二のシートの少なくとも一方が透光性を有するものであり、前記第一のシートと前記第二のシートとの間に付箋を貼り付け可能な付箋貼付部を設けてなり、この付箋貼付部が、前記第一のシートにおける開放端側に開放しているものであるファイルである。
【０００８】
請求項２に記載の発明は、前記付箋貼付部が、前記第一のシートと前記第二のシートとを接合する溶着部よりも開放端側に前記付箋を貼り付け得る付箋貼付領域を形成したものであり、前記付箋貼付領域に貼り付けられた付箋が、前記第一のシートと前記第二のシートとの間に挟まれ得るように構成されている請求項１記載のファイルである。
【０００９】
請求項３に記載の発明は、前記第一のシートの開放端部領域が、当該第一のシートの開放端とこの開放端に略平行な仮想線との間に位置するものであり、前記溶着部が前記仮想線上に設定されている請求項２記載のファイルである。
【００１０】
請求項４に記載の発明は、前記第一のシートが表紙であり、前記第二のシートが前記表紙の内面又は外面に添設されたものである請求項１、２又は３記載のファイルである。
【００１１】
請求項５に記載の発明は、前記付箋貼付部に、付箋を貼るための目印線を設けている請求項１、２、３又は４記載のファイルである。
【００１２】
請求項６に記載の発明は、表紙の開放端外縁に、付箋を貼り付けるための付箋貼付部を設けてなるファイルであって、前記付箋貼付部が、第一のシートと、この第一のシートに重なり合う第二のシートとを備えたものであり、これら第一、第二のシートの基端が前記表紙の開放端外縁に止着されており、前記第一、第二のシートの内面に付箋を貼り付け得る付箋貼付領域を備えているファイルである。
【発明の効果】
【００１３】
以上説明したように本発明によれば、付箋を見出しとして利用可能であり、付箋の着脱作業や交換作業を容易に行い得るファイルを提供することができる。
【図面の簡単な説明】
【００１４】
【図１】本発明の第一の実施形態を示す斜視図。
【図２】同実施形態における正面図。
【図３】同実施形態における背面図。
【図４】同実施形態における構造説明用の展開図。
【図５】同実施形態における斜視図。
【図６】図２におけるＸ−Ｘ線概略端面図。
【図７】本発明の第二の実施形態を示す斜視図。
【図８】同実施形態における正面図。
【図９】図８におけるＹ−Ｙ線概略端面図。
【図１０】同実施形態における裏表紙の正面図。
【発明を実施するための形態】
【００１５】
＜第一の実施形態＞
以下、本発明の第一の実施形態を、図１〜６を参照して説明する。
【００１６】
この実施形態は、本発明を、オフィス等において好適に使用されるクリアーホルダー等と称されるファイルＡに適用したものである。
【００１７】
ファイルＡは、透光性を有した第一のシートである表表紙１と裏表紙２との間に、例えば複数枚の書類を挟み込むことにより、書類を整理し得るものである。ファイルＡは、透光性を有する表紙である表表紙１の内面にカードＣを保持し得るポケット４を有したものである。ポケット４のカード挿入口４１は、表表紙１及び裏表紙２の開放端である側部開放端ｅａ及び上部開放端ｅｂ以外の方向に開口したものとなっている。また、ファイルＡは、第一のシートたる表表紙１と、表表紙１の開放端部領域ｒに配された第二のシートである延出シート３２を備えてなり、表表紙１と延出シート３２との間に付箋Ｐを貼り付け可能な付箋貼付部５を設けている。付箋貼付部５は、表表紙１の開放端側に開放しているもの、より具体的に言えば、付箋貼付部５は、表表紙１の開放端である側部開放端ｅａ及び上部開放端ｅｂに開口しているものである。
【００１８】
以下、このファイルＡについて詳述する。
【００１９】
ファイルＡは、展開状態において略矩形状をなす略透明な合成樹脂製のシートＢ（図４を参照）を二つ折りにすることにより構成された表表紙１及び裏表紙２と、表表紙１の内面側に添設された合成樹脂製の裏当て部材３とを備えている。表表紙１及び裏表紙２の一端部同士、すなわち、図２における表表紙１及び裏表紙２の各左側の側端部同士は連続しており、折り返された部分に側端の折り返し線部ｓａが設けられている。表表紙１の下端部近傍と裏表紙２の下端部近傍は溶着により接続している。図２における表表紙１の下端縁には、折り返された部分に下端の折り返し線部ｓｂが設けられている。
【００２０】
なお、この明細書において、「透明」とは、狭義の無色透明だけでなく有色透明をも含む概念である。
【００２１】
表表紙１は、略矩形状をなすものであり、その内面にシート状をなす裏当て部材３が溶着されている。表表紙１の開放端部領域ｒは、当該表表紙１の開放端である側部開放端ｅａと、この側部開放端ｅａに略平行な仮想線ｉとの間に位置するものであり、この実施形態では、後述する内溶着部ｍが上述した仮想線ｉ上に設定されている。
【００２２】
裏表紙２は、表表紙１と略同じ大きさに設定された略矩形状をなすものである。この実施形態では、表表紙１の下端縁に、裏表紙２に接続する折り返し片ｈが延設されている。折り返し片ｈは、図３に示すように、表表紙１の内面側に折り返された状態で、下端の折り返し線部ｓｂと略平行に延びる底溶着部ｎにおいて裏表紙２の外面側に接続している。
【００２３】
また、裏表紙２における開放端側のコーナー部２１には、表表紙１における開放端側のコーナー部１１を保持し得る保持シートｆが設けられている。保持シートｆは、略台形状をなしており、裏表紙２の開放端である側部開放端ｅａ及び上部開放端ｅｂに対応する二辺が裏表紙２の内面に溶着されている。
【００２４】
裏当て部材３は、下部に位置しポケット４を構成する本体シート３１と、本体シート３１の上側に連設され表表紙１の開放端部領域ｒに沿って延びる第二のシートである延出シート３２とを備えている。裏当て部材３を有したファイルＡは、裏当て部材３、及び、表表紙１を主体にして、名刺等のカードＣを挿入し得るカード挿入口４１を有したポケット４、及び、後述する複数の付箋Ｐを保持し得る付箋貼付部５を形成したものである。
【００２５】
ポケット４は、表表紙１の内面と裏表紙２の内面との間において側端の折り返し線部ｓａ側に開口したカード挿入口４１を有したものである。ポケット４は、表表紙１と、表表紙１の内面側に溶着された裏当て部材３の本体シート３１とによって構成されている。ポケット４におけるカード挿入口４１は、図２において右側に位置している側部開放端ｅａ、図２において上側に位置している上部開放端ｅｂ、及び、図２において下側に位置している下端の折り返し線部ｓｂとは異なる方向に開口したものとなっている。
【００２６】
ポケット４を形成する裏当て部材３の本体シート３１は、表表紙１の開放端部領域ｒに設けられた上下方向に延びる外溶着部ｇと、カードＣの大きさに対応させて区成する位置すなわちカードＣの上端縁に沿う位置に設けられた左右方向に延びる区成溶着部ｊを備えている。本体シート３１は、外溶着部ｇ、及び、区成溶着部ｊにおいて、表表紙１に溶着されている。つまり、ポケット４のカード収容空間４２は、表表紙１の下端である下端の折り返し線部ｓｂと、この下端の折り返し線部ｓｂと略平行に形成された区成溶着部ｊとの間に形成されている。
【００２７】
続いて、付箋貼付部５について説明する。
【００２８】
付箋貼付部５はポケット４の上側に位置している。付箋貼付部５は、互いに重なり合わないように配された見出しとして機能し得る複数の付箋Ｐを挟み込んで保持し得るものである。付箋貼付部５は、表表紙１の開放端である側部開放端ｅａ側及び上部開放端ｅｂ側に開口し得る形態をなしている。付箋貼付部５は、表表紙１と、表表紙１の内面側に溶着された裏当て部材３の延出シート３２とによって構成されている。
【００２９】
換言すれば、付箋貼付部５は、表表紙１と延出シート３２とを接合する溶着部たる内溶着部ｍよりも開放端である側部開放端ｅａ側に複数の付箋Ｐを貼り付け得る付箋貼付領域５１を形成したものである。付箋貼付領域５１に貼り付けられた複数の付箋Ｐは、表表紙１と延出シート３２との間に挟まれ得るように構成されている。
【００３０】
この実施形態では、図１、図２、及び、図５に示すように、一面側すなわち裏側に粘着剤層ｐ１を設けた二枚の付箋Ｐが、付箋貼付領域５１である裏当て部材３における延出シート３２の内面に上下に重ならないように貼付されている。そして、上下に並び配された二枚の付箋Ｐは、表表紙１と裏当て部材３の延出シート３２との間に挟まれて保持されている。各付箋Ｐの表面には、使用者の任意でインデックスとなり得る表示、例えば、書類のカテゴリーや用途等を示すための語句、或いは、分類作業等に便宜となる記号や図形が表示される。
【００３１】
なお、図６に示すように、延出シート３２の開放端の位置と表表紙１の開放端の位置とは互いにずらせてある。より具体的に言えば、延出シート３２の開放側の側端縁は、表表紙１の開放端側の側端縁よりも正面視において内側に位置するように設定されている。このように延出シート３２と表表紙１の端縁をずらしておくことで、表表紙１をめくりやすくしてある。
【００３２】
付箋貼付部５を形成する裏当て部材３の延出シート３２は、本体シート３１との間に位置する区成溶着部ｊの内方端部から当該区成溶着部ｊと略直交する方向、換言すれば、外溶着部ｇに略平行して延びる溶着部たる内溶着部ｍを備えている。
【００３３】
この実施形態においては、外溶着部ｇ、区成溶着部ｊ、及び、内溶着部ｍはそれぞれ複数の溶着部分ｍ１を破線状に配列させたものである。そして、内溶着部ｍは、その溶着部分の一部を利用して、付箋貼付部５に、付箋Ｐを貼るための目印線である特定の溶着部分ｍ２を設けている。すなわち、目印線ｍ２は、複数の溶着部分ｍ１の内、特定の溶着部分ｍ２を他の溶着部分と異なった形状にすることにより構成されている。
【００３４】
具体的には、内溶着部ｍは、略矩形状をなす複数の溶着部分ｍ１を一定のピッチで複数配列させてなるものである。そして、目印線となる特定の溶着部分ｍ２のみを他の溶着部分よりも横長な形状のものとしており、表表紙１の外縁側に突出させている。複数設けられた目印線となる特定の溶着部分ｍ２は略等間隔に配列されている。そのため、上下方向に延びてなる内溶着部ｍは、全体として、複数設けられた特定の溶着部分ｍ２である目印線を目盛りのように機能させた定規状の外観をなしている。そして、使用者は、目印線である特定の溶着部分ｍ２を目安として、インデックス等の目的で付箋Ｐを位置決めし貼り付けることができるようにしてある。
【００３５】
付箋貼付部５を構成する表表紙１及び裏当て部材３の少なくとも一方、この実施形態では、裏当て部材３における区成溶着部ｊの近傍部分に、開放端である側部開放端ｅａ側に開放された切れ込みｚが設けられている。そのため、付箋貼付部５を構成する延出シート３２を表表紙１から離れる方向にめくりやすくなり、裏当て部材３の内面に付箋Ｐを貼り付ける操作を円滑にできるようにしてある。
【００３６】
なお、表表紙１と裏当て部材３とを接合する外溶着部ｇ、区成溶着部ｊ、及び、内溶着部ｍは、それぞれ略直線状に形成されている。これら外溶着部ｇ、区成溶着部ｊ、及び、内溶着部ｍが、順に連続するように配列されており、全体として略階段状に形成されている。
【００３７】
裏当て部材３が、ポケット４を構成する本体シート３１と、付箋貼付部５を構成する延出シート３２とを有した単一のシート状の部材により作られているため、製造時における部品点数を無理なく削減することができる。なお、裏当て部材３が、表紙１と一体に構成されたものであり、外溶着部ｇを設けないように構成したものであってもよい。
【００３８】
以上説明したように、本実施形態に係るファイルＡは、第一のシートである表表紙１と、表表紙１の開放端部領域ｒに配された第二のシートである裏当て部材３の延出シート３２とを備えている。そして、表表紙１と延出シート３２との間に複数の付箋Ｐを貼り付け可能な付箋貼付部５を設けてなり、少なくとも表表紙１が透光性を有するものとなっている。このため、付箋Ｐを見出しとして利用可能であり、付箋Ｐの着脱作業や交換作業を容易に行い得るファイルＡを提供することができるものとなる。
【００３９】
つまり、複数の付箋Ｐを表表紙１と延出シート３２との間に貼り付け可能に構成しているものであり、且つ、表表紙１の開放端部領域ｒに延出シート３２を配しているため、複数の付箋Ｐを利用して見出しを設ける柔軟性に優れた見出し表示システムを好適に実現し得るものとなっている。
【００４０】
この実施形態では、二枚の付箋Ｐをそれぞれ別個独立に付箋貼付部５に着脱することができるものとなっている。換言すれば、このファイルＡは、付箋貼付部５に貼り付けられた二枚の付箋Ｐをそれぞれ別個独立に簡単に交換することができるものとなっている。例えば、二枚の付箋Ｐに異なる見出し情報（書類の用途、カテゴリー、担当者、その他書類の整理に必要な情報等）を記載したものとすれば、それら二枚の付箋Ｐの一方又は両方を使用者の任意で交換することによって、ファイルＡの見出し情報を極めて柔軟に変更することが可能となる。
【００４１】
付箋貼付部５が、表表紙１における開放端である側部開放端ｅａ及び上部開放端ｅｂ側に開口したものである。このため、複数の付箋Ｐを付箋貼付部５に容易に貼り付け得るものとなっている。
【００４２】
付箋貼付部５が、表表紙１と延出シート３２とを接合する溶着部たる内溶着部ｍよりも開放端である側部開放端ｅａ側に付箋Ｐを貼り付け得る付箋貼付領域５１を形成したものである。そして、付箋貼付領域５１に貼り付けられた付箋Ｐが、表表紙１と延出シート３２との間に挟まれ得るように構成されている。このため、付箋Ｐは、その粘着剤層ｐ１に依拠した貼着力だけでなく、表表紙１と延出シート３２との間に挟まれることによって、ずれ動きが抑制された状態に保持されたものとなる。
【００４３】
表表紙１の開放端部領域ｒが、当該表表紙１の開放端である側部開放端ｅａと側部開放端ｅａに略平行な仮想線ｉとの間に位置するものであり、内溶着部ｍが仮想線ｉ上に設定されている。このため、内溶着部ｍが表表紙１の側部開放端ｅａと略平行をなすものとなるため、複数の付箋Ｐを内溶着部ｍに沿って姿勢よく整然と貼り付けることができるものとなる。
【００４４】
延出シート３２が、表表紙１の内面に添設されたものである。このため、付箋貼付部５を設けるにあたり、表表紙１の外面側を外観上好適な面一な状態に保持しやすいものとなっている。
【００４５】
付箋貼付部５に、付箋Ｐを貼るための目印線である特定の溶着部分ｍ２を設けている。このため、使用者は、付箋貼付部５において付箋Ｐを目印線である特定の溶着部分ｍ２を参照して整然とした姿勢に貼り付け得るものとなる。
【００４６】
内溶着部ｍが、破線状をなす複数の溶着部分ｍ１を備えている。そして、目印線が、複数の溶着部分ｍ１の内、特定の溶着部分ｍ２を他の溶着部分と異なった形状にすることにより構成したものである。このため、目印線である特定の溶着部分ｍ２を、内溶着部ｍを形成する過程において効率よく設定し得るものとなっている。
【００４７】
付箋貼付部５を構成する裏当て部材３に、開放端側に開放された切れ込みｚが設けられている。このため、裏当て部材３の内面に付箋Ｐを貼りやすいものとなっている。
【００４８】
＜第二の実施形態＞
続いて、本発明の第二の実施形態を、図７〜１０を参照して説明する。
【００４９】
第二の実施形態においては、付箋貼付部５Ａが、第一のシートである裏表紙２Ａ側に設けられている。すなわち、付箋貼付部５Ａは、裏表紙２Ａと、裏表紙２Ａに付箋貼付領域５１Ａを確保した状態で溶着された透光性を有するカバーシート３Ａとを主体に構成されている。
【００５０】
ファイルＤは、図７〜図１０に示すように、透光性を有したインデックス部６をそれぞれ位置をずらせて設けた複数の区成シート７ａ〜７ｄを有している。ファイルＤは、区成シート７ａ〜７ｄの背後に、見出し内容表示部である付箋貼付部５Ａを設けた背後シートたる裏表紙６を有する。
【００５１】
ファイルＤは、複数の資料収納空間Ｓが区成シート７ａ〜７ｄにより区成されている。インデックス部６は、資料収納空間Ｓを区成する後方側の区成シート７ａ〜７ｄにそれぞれ設定されている。
【００５２】
詳述すれば、ファイルＤは、表紙たる表表紙１Ａと、背後シートたる裏表紙２Ａとの間に、複数の区成シート７ａ〜７ｄが配されたものである。インデックス部６は、区成シート７ａ〜７ｄの外縁７ａ１〜７ｄ１から突出して設けられている。
【００５３】
しかして、付箋貼付部５Ａは、インデックス部６の背後に位置するようにして裏表紙２Ａ側に設けられている。付箋貼付部５Ａは、裏表紙２Ａと、裏表紙２Ａに付箋貼付領域５１Ａを確保した状態で溶着部ｍＡにおいて溶着された透光性を有するカバーシート３Ａとを具備してなるものである。
【００５４】
換言すれば、ファイルＤは、第一のシートである裏表紙２Ａと、裏表紙２Ａの外縁側の領域すなわち開放端部領域ｒに配された第二のシートであるカバーシート３Ａとの間に、付箋Ｐを貼り付け可能な付箋貼付部５Ａを設けてなる。付箋貼付部５Ａは、裏表紙２Ａにおける開放端側に開放しているものである。具体的に言えば、付箋貼付部５Ａは、裏表紙２Ａ、及び、カバーシート３Ａにおける開放端側すなわち外縁側に開口している。この実施形態では、付箋貼付部５Ａに見出しとして機能し得る五枚の付箋Ｐを保持させることができるようになっている。
【００５５】
付箋貼付部５Ａの付箋貼付領域５１Ａは、裏表紙２Ａとカバーシート３Ａとを接合する溶着部ｍＡよりも開放端側に形成されている。そして、付箋貼付領域５１Ａに貼り付けられた複数の付箋Ｐが、裏表紙２Ａとカバーシート３Ａとの間に挟まれ得るように構成されている。裏表紙２Ａの付箋貼付領域５１Ａは、当該裏表紙２Ａの開放端と、この開放端に略平行な仮想線ｉとの間に位置するものであり、溶着部ｍＡが仮想線ｉ上に設定されている。
【００５６】
付箋貼付部５Ａには、付箋Ｐを貼るための目印線ｍｊがそれぞれ設けられている。また、カバーシート３Ａには、付箋Ｐの貼付作業を容易にするために、間隔をあけて外縁に開放された切れ込み３Ａ１が形成されている。一方、裏表紙２Ａには、カバーシート３Ａを前面側にめくりやすくするために、凹欠部６ａを備えている。
【００５７】
以上、第二の実施形態として説明したファイルＤにおいても、付箋Ｐを見出しとして利用可能であり、且つ、付箋Ｐの着脱作業や交換作業を容易に行い得るため、所期の目的を達成し得るものとなる。
【００５８】
その他本発明における各部の具体的構成については、上記実施形態に限られるものではなく、本発明の趣旨を逸脱しない範囲で種々変形が可能であることはいうまでもない。
【００５９】
付箋貼付部は、第一のシートと第二のシートとの間に、複数ではなく、一枚の付箋を貼り付け得るものであってもよい。
【００６０】
第一のシートは、表表紙や裏表紙に限られるものではない。また、第二のシートは、延出シートやカバーシートに限られるものではない。つまり、ファイルを構成する第一、第二のシート間に、付箋が貼り付けられるようになっており、且つ、使用者が少なくとも第一、第二のシートの何れか一方のシートを透過した上で第一、第二のシート間に配された付箋を視認し得るものとなっていれば、本発明の目的を達成し得るものとなる。
【００６１】
例えば、ファイルを、表紙の開放端に、付箋を貼り付けるための付箋貼付部を設けてなるものとしてもよい。この付箋貼付部は、第一のシートと、この第一のシートに重なり合う第二のシートとを備えたものであり、これら第一、第二のシートの基端がそれぞれ表紙の開放端に止着されたものとなっている。そして、第一、第二のシートの内面に付箋を貼り付け得る付箋貼付領域を備えている。このようなものであっても、所期の目的を達成し得るものとなる。
【００６２】
付箋貼付部における目印線は、種々の方法で設けることができるものであり、上述したような溶着部の形態により実現したものに限定されるものではない。例えば、目印線は、印刷により設けたものであってもよい。
【００６３】
付箋貼付部への付箋の貼りやすさを補助し得る切れ込みは、第一のシートまたは第二のシートの何れか一方のみに設けたものであってもよいし、双方に設けたものであってもよい。
【００６４】
その他、各部の具体的構成についても上記実施形態に限られるものではなく、本発明の趣旨を逸脱しない範囲で種々変形が可能である。
【符号の説明】
【００６５】
１…表表紙（第一のシート）
２…裏表紙
３…裏当て部材
３２…延出シート（第二のシート）
５…付箋貼付部
Ａ…ファイル
Ｐ…付箋
ｒ…開放端部領域
【図１】
2018161796.tif 000003
【図２】
2018161796.tif 000004
【図３】
2018161796.tif 000005
【図４】
2018161796.tif 000006
【図５】
2018161796.tif 000007
【図６】
2018161796.tif 000008
【図７】
2018161796.tif 000009
【図８】
2018161796.tif 000010
【図９】
2018161796.tif 000011
【図１０】
2018161796.tif 000012